【手続補正書】
【提出日】平成20年8月21日(2008.8.21)
【手続補正１】
【補正対象書類名】明細書
【補正対象項目名】００２０
【補正方法】変更
【補正の内容】
【００２０】
このＢ−１６多糖類は、アルカシーラン〔商品名、ＩＮＣＩｎａｍｅ：Ａｌｃａｌｉｇｅｎｅｓ  Ｐｏｌｙｓａｃｃｈａｒｉｄｅｓ、伯東（株）製〕として市販されている。この培養産物は少なくとも２種類の多糖類からなっている。式（２）で示される多糖類が、本発明の多糖類である式（１）の多糖類中に含まれていてもその効果を妨げないため、式（２）で示される多糖類を除去することなく、Ｂ−１６多糖類を使用することができる。
【手続補正２】
【補正対象書類名】明細書
【補正対象項目名】００２８
【補正方法】変更
【補正の内容】
【００２８】
本発明の皮膚外用剤に配合される保湿剤は、グリセリン、プロピレングリコール、ジプロピレングリコール、１，３−ブチレングリコール、ポリエチレングリコール、ソルビトール等の多価アルコール、ピロリドンカルボン酸塩、乳酸塩等のＮＭＦ（自然保湿因子）の主成分、ヒアルロン酸塩、コンドロイチン硫酸、へパリン等のムコ多糖類、尿素、システイン、セリン等のアミノ酸、更には、各種植物抽出物等があげられ、その１種以上が配合される。
【手続補正３】
【補正対象書類名】明細書
【補正対象項目名】００４１
【補正方法】変更
【補正の内容】
【００４１】
【実施例】以下に実施例をあげて、本発明を詳細に説明するが、本発明はこれらに制約されるものではない。
〔Ｂ−１６多糖類〕
Ａ−１：アルカシーラン〔商品名、伯東（株）製、ＩＮＣＩ  ｎａｍｅ：Ａｌｃａｌｉｇｅｎｅｓ  Ｐｏｌｙｓａｃｃｈａｒｉｄｅｓ〕
Ａ−２：特開平５−３０１９０４号公報の方法に従い、アルカリゲネス レータスＢ−１６株細菌より生産される多糖類から一般式（２）で示される多糖類の除去を行なった高分子成分の多糖類
〔その他の天然高分子〕
Ｂ−１：キサンタンガム（三晶（株）製）
Ｂ−２：グァーガム（三晶（株）製）
Ｂ−３：ヒアルロン酸（（株）資生堂製）
〔皮膚外用剤の安定性試験〕
本発明の多糖類を配合した化粧水、乳液、クリーム、粘稠美容液、パック、リキッドファンデーション等の皮膚外用剤を以下の配合で調製し、皮膚外用剤の粘度を測定した後、ふた付きの円筒状ガラス容器（高さ１３ｃｍ、内径５ｃｍ）の底より高さ１０ｃｍになるところまで入れ、５０℃に３ヶ月間静置した。３ヶ月間静置後、皮膚外用剤の粘度を測定し、次式で粘度の変化率を算出し、変化率が小さいほど好ましい。
粘度変化率（％）＝（Ｖ１―Ｖ２）×１００／Ｖ１
ここで、
Ｖ１；調製直後の粘度（ｍＰａ・ｓ）
Ｖ２；３ヶ月後の粘度（ｍＰａ・ｓ）
さらに分離、析出物の有無を測定し、以下のように評価した。
○：分離が０．１ｃｍ以下（全高１０ｃｍに対して）、析出物無し。
×：分離が０．１ｃｍ以上（全高１０ｃｍに対して）、あるいは析出物有り。
結果を表１に示した。
〔化粧水−１の調製〕
（Ｎｏ．）      （配合成分）                           （重量％）
１．グリセリン                                      ５．００
２．１，３−ブチレングリコール                      ６．５０
３．ポリオキシエチレン（２０Ｅ．Ｏ．）ソルビタンモノラウリル酸エステル
１．２０
４．エタノール                                      ８．００
５．Ｂ−１６多糖類（Ａ−１）                        ０．０５
６．アスコルビン酸リン酸マグネシウム                ３．００
７．パラオキシ安息香酸エステル                      ０．１０
８．精製水                                           残量
配合成分Ｎｏ．３、４、６及び７を混合溶解し、混合物１とした。また、Ｎｏ．１、２、５及び８を均一に分散し、混合物２とした。混合物１を攪拌下、混合物２を加え、均一にし、化粧水−１を得た。
〔化粧水−２の調製〕
（Ｎｏ．）      （配合成分）                           （重量％）
１．グリセリン                                      ５．００
２．ソルビトール                                    ５．００
３．ポリオキシエチレン（２０Ｅ．Ｏ．）オレイルアルコールエーテル
１．００
４．エタノール                                    １５．００
５．Ｂ−１６多糖類（Ａ−２）                        ０．０５
６．スルホ石炭酸亜鉛                                ０．２０
７．クエン酸                                        ０．１０
８．パラオキシ安息香酸エステル                      ０．１０
９．精製水                                           残量
配合成分Ｎｏ．３、４、６、７及び８を混合溶解し、混合物３とした。また、Ｎｏ．１、２、５及び９を均一に分散し、混合物４とした。混合物３を攪拌下、混合物４を加え、均一にして化粧水−２を得た。
〔化粧水−３の調製〕
（Ｎｏ．）      （配合成分）                           （重量％）
１．グリセリン                                      ５．００
２．１，３−ブチレングリコール                      ４．００
３．ポリオキシエチレン（２０Ｅ．Ｏ．）ソルビタンモノラウリル酸エステル
１．２０
４．エタノール                                      ８．００
５．Ｂ−１６多糖類（Ａ−１）                        ０．０５
６．コウジ酸                                        ３．００
７．パラオキシ安息香酸エステル                      ０．１０
８．精製水                                           残量
配合成分Ｎｏ．３、４、６及び７を混合溶解し、混合物５とした。また、Ｎｏ．１、２、５及び８を均一に分散し、混合物６とした。混合物５を攪拌下、混合物６を加え、均一にし、化粧水−３を得た。
〔化粧水−４の調製〕
（Ｎｏ．）      （配合成分）                           （重量％）
１．グリセリン                                      ５．００
２．ジプロピレングリコール                          ５．００
３．ポリオキシエチレン（６０Ｅ．Ｏ．）硬化ヒマシ油   １．２０
４．エタノール                                      ８．００
５．Ｂ−１６多糖類（Ａ−１）                        ０．０５
６．アスコルビン酸リン酸マグネシウム                ３．００
７．グリチルリチン酸                                ０．１０
８．パラオキシ安息香酸エステル                      ０．１０
９．精製水                                           残量
配合成分Ｎｏ．３、４、６、７及び８を混合溶解し、混合物７とした。また、Ｎｏ．１、２、５及び９を均一に分散し、混合物８とした。混合物７を攪拌下、混合物８を加え、均一にして化粧水−４を得た。
〔化粧水−５の調製〕
化粧水−４の配合成分のＮｏ．５：Ｂ−１６多糖類（Ａ−１）０．０５％と精製水０．０５％をキサンタンガム（Ｂ−１）０．１％に置き換え、それ以外は化粧水−４と同様にして調製し、化粧水−５を得た。
〔乳液−１の調製〕
（Ｎｏ．）      （配合成分）                           （重量％）
１．ポリオキシエチレン（１０Ｅ．Ｏ．）ソルビタンモノステアレート
１．００
２．ポリオキシエチレン（６０Ｅ．Ｏ．）ソルビットテトラオレエート
０．５０
３．グリセリルモノステアレート                      １．００
４．ステアリン酸                                    ０．５０
５．ベヘニルアルコール                              ０．５０
６．スクワラン                                      ８．００
７．パラメトキシケイ皮酸イソプロピル                ０．５０
８．クエン酸                                        ０．５０
９．Ｂ−１６多糖類（Ａ−１）                        ０．１０
１０．パラオキシ安息香酸エステル                      ０．１０
１１．カルボキシビニルポリマー                        ０．１０
１２．水酸化ナトリウム                                ０．０５
１３．エタノール                                      ５．００
１４．精製水                                           残量
配合成分Ｎｏ．１０〜１４の一部を加熱混合し、７０℃に保ち混合物９とした。また、配合成分Ｎｏ．１〜８を加熱混合し、７０℃に保ち混合物１０とし、小型ホモミキサーで混合物１０を撹拌しながら混合物９を加え、乳化した後、室温まで冷却し、配合成分Ｎｏ．７：Ｂ−１６多糖類（Ａ−１）水溶液を加え、均一に混合して乳液−１を得た。
〔乳液−２の調製〕
（Ｎｏ．）      （配合成分）                           （重量％）
１．ポリオキシエチレン（１０Ｅ．Ｏ．）ソルビタンモノステアレート
１．００
２．ポリオキシエチレン（６０Ｅ．Ｏ．）ソルビットテトラオレエート
０．５０
３．グリセリルモノステアレート                        １．００
４．ステアリン酸                                      ０．５０
５．ベヘニルアルコール                                ０．５０
６．スクワラン                                        ８．００
７．アデノシン三リン酸                                ０．５０
８．Ｂ−１６多糖類（Ａ−１）                          ０．１０
９．フェノキシエタノール                              ０．０５
１０．ヒアルロン酸                                      ０．１０
１１．水酸化ナトリウム                                  ０．０５
１２．エタノール                                        ５．００
１３．精製水                                             残量
配合成分Ｎｏ．９〜１２及び１３の一部を加熱混合し、７０℃に保ち、混合物１１とした。また、配合成分Ｎｏ．１〜７を加熱混合し、７０℃に保ち混合物１２とし、小型ホモミキサーにて混合物１２を攪拌下、混合物１１を加え、乳化した後、室温まで冷却し、配合成分Ｎｏ．７：Ｂ−１６多糖類（Ａ−１）水溶液を加え、均一に混合して乳液−２を得た。
〔乳液−３の調製〕
（Ｎｏ．）      （配合成分）                           （重量％）
１．  ポリオキシエチレン（１０Ｅ．Ｏ．）モノオレイン酸エステル
１．  ００
２．グリセロールモノステアリン酸エステル              １．００
３．セチルアルコール                                  １．００
４．ミツロウ                                          ０．５０
５．ワセリン                                          ２．００
６．スクワラン                                        ６．００
７．ジメチルポリシロキサン                            ２．００
８．Ｂ−１６多糖類（Ａ−１）                          ０．１０
９．アスコルビン酸リン酸マグネシウム塩                ０．５０
１０．クエン酸                                          １．００
１１．エラグ酸                                          ０．５０
１２．グリチルレチン酸ジカリウム                        ０．２０
１３．フェノキシエタノール                              ０．０５
１４．ヒアルロン酸                                      ０．１０
１５．水酸化ナトリウム                                  ０．０５
１６．エタノール                                        ５．００
１７．グリセリン                                        ４．００
１８．１，３−ブチレングリコール                        ４．００
１９．精製水                                              残量
配合成分Ｎｏ．９〜１８及び１９の一部を加熱混合し、７０℃に保ち、混合物１３とした。また、配合成分Ｎｏ．１〜７を加熱混合し、７０℃に保ち混合物１４とし、小型ホモミキサーにて混合物１４を攪拌下、混合物１３を加え、乳化した後、室温まで冷却し、配合成分Ｎｏ．８：Ｂ−１６多糖類（Ａ−１）水溶液を加え、均一に混合して乳液−３を得た。
〔乳液−４の調製〕
（Ｎｏ．）      （配合成分）                           （重量％）
１．ステアリン酸                                      ２．００
２．セチルアルコール                                  １．５０
３．ワセリン                                          ４．００
４．スクワラン                                        ５．００
５．グリセロールトリ−２−エチルへキサン酸エステル    ２．００
６．ソルビタンモノオレイン酸エステル                  ２．００
７．レチノール                                        ０．２０
８．Ｂ−１６多糖類（Ａ−１）                          ０．１０
９．ジプロピレングリコール                            ５．００
１０．ポリエチレングリコール１５００                    ２．００
１１．トリエタノールアミン                              １．００
１２． パラオキシ安息香酸エステル                       ０．１０
１３．精製水                                              残量
配合成分Ｎｏ．９〜１２及び１３の一部を加熱混合し、７０℃に保ち、混合物１５とした。また、配合成分Ｎｏ．１〜７を加熱混合し、７０℃に保ち混合物１６とし、小型ホモミキサーにて混合物１６を攪拌下、混合物１５を加え、乳化した後、室温まで冷却し、配合成分Ｎｏ．８：Ｂ−１６多糖類（Ａ−１）水溶液を加え、均一に混合して乳液−４を得た。
〔乳液−５の調製〕
乳液−１の配合成分のＢ−１６多糖類（Ａ−１）０．１％と精製水０．３％をキサンタンガム（Ｂ−１）０．４％に置き換え、それ以外は乳液−１と同様にして、乳液−５を調製した。
〔クリーム−１の調製〕
（Ｎｏ．）      （配合成分）                           （重量％）
１．ポリオキシエチレン（４０Ｅ．Ｏ．）モノステアレート  ２．００
２．グリセリンモノステアレート（自己乳化型）           ５．００
３．ステアリン酸                                       ５．００
４．ベヘニルアルコール                                 ０．５０
５．スクワラン                                       １５．００
６．イソオクタン酸セチル                               ５．００
７．パラオキシ安息香酸エステル                         ０．１０
８．１，３−ブチレングリコール                         ５．００
９．Ｂ−１６多糖類（Ａ−１）                           ０．０８
１０．インドメタシン                                     ０．５０
１１．精製水                                              残量
配合成分Ｎｏ．１〜８を７０℃にて加熱溶解し、混合物１７とした。また、Ｎｏ．９及び１１の一部を７０℃にて加熱溶解し、混合物１８とし、混合物１７を撹拌しながら混合物１８を加え、Ｎｏ．９：Ｂ−１６多糖類（Ａ−１）水溶液及びＮｏ．１０を混合した後、冷却してクリーム−１を得た。
〔クリーム−２の調製〕
（Ｎｏ．）      （配合成分）                           （重量％）
１．ポリオキシエチレン（４０Ｅ．Ｏ．）モノステアレート  ２．００
２．グリセリンモノステアレート（自己乳化型）           ５．００
３．ステアリン酸                                       ５．００
４．セタノール                                         ２．００
５．スクワラン                                       １５．００
６．イソオクタン酸セチル                               ５．００
７．フェノキシエタノール                               ０．１０
８．１，３−ブチレングリコール                         ５．００
９．Ｂ−１６多糖類（Ａ−１）                           ０．２０
１０．ローヤルゼリー                                     ０．５０
１１．精製水                                              残量
配合成分Ｎｏ．１〜８を７０℃にて加熱溶解し、混合物１９とした。また、Ｎｏ．８及び１１の一部を７０℃にて加熱溶解し、混合物２０とし、混合物１９を撹拌しながら混合物２０を加え、Ｎｏ．９：Ｂ−１６多糖類（Ａ−１）水溶液及びＮｏ．１０を混合した後、冷却してクリーム−２を得た。
〔クリーム−３の調製〕
（Ｎｏ．）      （配合成分）                           （重量％）
１．  ポリオキシエチレン（２５Ｅ．Ｏ．）セチルアルコールエーテル
３．００
２．モノステアリン酸グリセリン                         ２．００
３．ステアリン酸                                       ２．００
４．ステアリルアルコール                               ６．００
５．水添ラノリン                                       ４．００
６．スクワラン                                         ９．００
７．オクチルドデカノール                             １０．００
８．Ｂ−１６多糖類（Ａ−１）                           ０．０５
９．グリチルリチン酸                                   ０．２０
１０．アスコルビン酸リン酸マグネシウム塩                 ６．００
１１．クエン酸                                           ３．００
１２．水酸化ナトリウム                                   ０．２０
１３．１，３−ブチレングリコール                         ４．００
１４．パラオキシ安息香酸エステル                         ０．１０
１５．精製水                                               残量
配合成分Ｎｏ．１〜７を７０℃にて加熱溶解し、混合物２１とした。また、配合成分Ｎｏ．９〜１５の一部を７０℃にて加熱溶解し、混合物２２とし、混合物２１を撹拌しながら混合物２２を加え、Ｎｏ．８：Ｂ−１６多糖類（Ａ−１）水溶液を混合した後、冷却してクリーム−２を得た。
〔クリーム−４の調製〕
クリーム−１の配合成分のＢ−１６多糖類（Ａ−１）０．０８％と精製水０．１２％をキサンタンガム（Ｂ−１）０．２％に置き換え、それ以外はクリーム−１と同様に調製してクリーム−４を得た。
〔エッセンス−１〕
（Ｎｏ．）      （配合成分）                         （重量％）
１．ポリオキシエチレン（２０Ｅ．Ｏ．）セチルエーテル １．００
２．モノオレイン酸ソルビタン                        ０．５０
３．セタノール                                      １．００
４．オレイルアルコール                              ０．５０
５．ワセリン                                        １．５０
６．スクワラン                                      ２．００
７．アスコルビン酸リン酸マグネシウム                ０．５０
８．Ｂ−１６多糖類（Ａ−１）                        ０．１０
９．フェノキシエタノール                            ０．０５
１０．グリセリン                                      ４．００
１１．エタノール                                      ７．００
１２．１，３−ブチレングリコール                      ４．００
１３．グリチルレチン酸                                ０．５０
１４．精製水                                           残量
配合成分Ｎｏ．９〜１３及び１４の一部を加熱混合し、７０℃に保ち、混合物２３とした。また、配合成分Ｎｏ．１〜６を加熱混合し、７０℃に保ち混合物２４とし、小型ホモミキサーにて混合物２３を撹拌しながら混合物２４を加え、均一に乳化した後、室温まで冷却し、配合成分Ｎｏ．７及びＮｏ．８：Ｂ−１６多糖類（Ａ−１）水溶液を加え、均一に混合してエッセンス−１を得た。
〔エッセンス−２の調製〕
（Ｎｏ．）      （配合成分）                           （重量％）
１．ソルビトール                                     ８．００
２．１，３−ブチレングリコール                       ４．００
３．ポリエチレングリコール１５００                   ５．００
４．ヒアルロン酸                                     ０．１０
５．エタノール                                       ８．００
６．Ｂ−１６多糖類（Ａ−１）                         ０．１０
７．アスコルビン酸リン酸マグネシウム塩               ６．００
８．クエン酸                                         ２．００
９．水酸化ナトリウム                                   適量
１０．パラオキシ安息香酸エステル                       ０．１０
１１．精製水                                             残量
配合成分Ｎｏ．６、及びＮｏ．１１の一部を混合溶解し、Ｎｏ．１、３、４、７、８、９を順次添加し、混合物２５とする。また、配合成分Ｎｏ．２、５、１０を混合し、混合物２６とする。混合物２５を撹拌しながら混合物２６を加え、均一に混合してエッセンス−２を得た。
〔エッセンス−３の調製〕
（Ｎｏ．）      （配合成分）                           （重量％）
１．ステアリン酸                                     ３．００
２．セタノール                                       １．００
３．ラノリン誘導体                                   ３．００
４．流動パラフィン                                   ５．００
６．２−エチルヘキシルステアレート                   ３．００
７．ポリオキシエチレンセチルアルコールエーテル       ２．００
８．モノステアリン酸グリセリン                       ２．００
９．オクチルメトキシシンナメート                     ４．００
１０．ジベンゾイルメタン誘導体                         ４．００
１１．フェノキシエタノール                             ０．２０
１２．１，３−ブチレングリコール                       ６．００
１３．トリエタノールアミン                             １．００
１４．Ｂ−１６多糖類（Ａ−１）                         ０．１０
１５．精製水                                             残量
配合成分Ｎｏ．１〜１１を７０℃にて加熱溶解し、混合物２７とした。また、配合成分Ｎｏ．１２〜１５を７０℃にて加熱溶解し、混合物２８とし、混合物２８を撹拌しながら混合物２７を加え、エッセンス−３を得た。
〔エッセンス−４の調製〕
（Ｎｏ．）      （配合成分）                           （重量％）
１．エタノール                                       ８．００
２．グリセリン                                       ４．００
３．１，３−ブチレングリコール                       ４．００
４．パラオキシ安息香酸エステル                       ０．１０
５．クエン酸                                         ０．５０
６．乳酸                                             ０．５０
７．リンゴ酸                                         ０．５０
８．グリコール酸                                     ０．５０
９．水酸化カリウム                                    適量
１０．水酸化ナトリウム                                  適量
１１．Ｂ−１６多糖類（Ａ−１）                         ０．１５
１２．海洋深層水                                        残量
配合成分Ｎｏ．１〜４を混合し、混合物２９とする。また、Ｎｏ．１２にＮｏ．４〜１１を順次添加し、混合物３０とし、混合物３０を撹拌しながら混合物２９を加え、エッセンス−４を得た。
〔エッセンス−５の調製〕
エッセンス−１の配合成分のＢ−１６多糖類（Ａ−１）０．１％と精製水０．２％をグァーガム（Ｂ−２）０．３％に置き換え、それ以外はエッセンス−１と同様に調製して、エッセンス−５を得た。
〔エッセンス−６の調製〕
エッセンス−１の配合成分のＢ−１６多糖類（Ａ−１）０．１％と精製水０．２％をヒアルロン酸（Ｂ−３）０．３％に置き換え、それ以外はエッセンス−１と同様に調製して、エッセンス−６を得た。
〔パック−１の調製〕
（Ｎｏ．）      （配合成分）                           （重量％）
１．ポリビニルアルコール                           ２０．０
２．エタノール                                     ２０．０
３．グリセリン                                       ５．０
４．カオリン                                         ６．０
５．Ｂ−１６多糖類（Ａ−１）                         ０．３
６．アミノ酪酸                                       ０．２
７．グリチルリチン酸                                 ０．１
８．パラオキシ安息香酸エステル                       ０．２
９．ジャスミン油                                     ０．１
１０．精製水                                            残量
配合成分Ｎｏ．１、３、４及び１０の一部を混合し、７０℃にて加熱攪拌し混合物３１とした。また、Ｎｏ．２、６〜８及び９を混合し、混合物３２とし、混合物３２を撹拌しながら混合物３１に加え、冷却後にＮｏ．５：Ｂ−１６多糖類（Ａ−１）水溶液を均一に分散してパック−１を得た。
〔パック−２の調整〕
（Ｎｏ．）      （配合成分）                           （重量％）
１．ポリビニルアルコール                           １５．０
２．１，３−ブチレングリコール                       ５．０
３．エタノール                                     １２．０
４．パラオキシ安息香酸エステル                       ０．１
５．ポリオキシエチレンオレイルエーテル               ０．５
６．乳酸                                             ０．５
７．クエン酸                                         ０．５
８．リンゴ酸                                         ０．５
９．グリコール酸                                     ０．５
１０．水酸化ナトリウム                                  適量
１１．水酸化カリウム                                    適量
１２．クエン酸ナトリウム                               ０．５
１３．Ｂ−１６多糖類（Ａ−１）                         ０．２
１４．精製水                                            残量
配合成分Ｎｏ．１〜５及び１４の一部を混合し、混合物３３とした。また、Ｎｏ．６〜１４を混合し、混合物３４とし、混合物３４を撹拌しながら混合物３３に加え、均一に撹拌してパック−２を得た。
〔パック−３の調製〕
パック−１の配合成分のＢ−１６多糖類（Ａ−１）０．３％と精製水０．２％をキサンタンガム（Ｂ−１）０．３％とグァーガム（Ｂ−２）０．２％に置き換え、それ以外はパック−１と同様にして調製し、パック−３を得た。
〔リキッドファンデーション−１の調製〕
（Ｎｏ．）      （配合成分）                            （重量％）
１．ラノリン                                         ７．００
２．流動パラフィン                                   ５．００
３．ステアリン酸                                     ２．００
４．セタノール                                       １．００
５．パラメトキシケイ皮酸−２−エチルヘキシル         ３．００
６．４−ｔ−ブチル−４‘−メトキシジベンゾイルメタン １．００
７．グリセリン                                       ５．００
８．トリエタノールアミン                             １．００
９．カルボキシメチルセルロース                       ０．７０
１０．精製水                                            残量
１１．マイカ                                         １５．００
１２．タルク                                           ６．００
１３．着色顔料                                         ６．００
１４．Ｂ−１６多糖類（Ａ−１）                        ０．０５
１５．ヨクイニン抽出物                                ０．５０
配合成分Ｎｏ．１〜６を混合溶解し、更にＮｏ．１１〜１３を加え、均一に混合し、７０℃に保ち混合物３５とした。また、Ｎｏ．７〜９及び１０の一部を均一に溶解し、７０℃に保ち混合物３６とし、混合物３５を撹拌しながら混合物３６を加え、均一に乳化し、冷却後、Ｎｏ．１４：Ｂ−１６多糖類（Ａ−１）水溶液及びＮｏ．１５を添加しリキッドファンデーション−１を得た。
〔リキッドファンデーション−２の調製〕
リキッドファンデーション−１の配合成分のＢ−１６多糖類（Ａ−１）０．０５％と精製水０．０５％をキサンタンガム（Ｂ−１）０．１％に置き換え、それ以外はリキッドファンデーション−１と同様にして調製し、リキッドファンデーション−２を得た。